(57)【要約】      （修正有）【課題】土詰播種ラインへの苗箱供給装置において、苗箱収納枠内に段積みした育苗箱を最下段より搬出する際に、育苗箱内に納めた集合鉢体（個別鉢体）の損傷および偏りを防止する展開枠を供給する。【解決手段】集合鉢体を展開させる展開枠1であって、相対向する一対の短辺枠フレーム3に、前記集合鉢体の展開方向の両端列に位置する個別鉢体に挿入可能な爪片4を櫛歯状に設けたものにおいて、前記一対の短辺枠フレーム間に、少なくとも２本の保護バー6を架設する。苗箱供給装置において育苗箱は、前記展開枠の保護バーを介して段積みにされ、該保護バーが上段育苗箱底面との滑動面となるので、最下段の育苗箱より順次搬出しても、上段の育苗箱底面が最下段の育苗箱内の集合鉢体に当接することがなく、集合鉢体（個別鉢体）の損傷および偏りを防止できる。【選択図】図４
0003101664.tif 000002
【実用新案登録請求の範囲】
【請求項１】
個別鉢体を水溶性接着剤を介して集合させてなる集合鉢体を展開させる展開枠であって、相対向する一対の短辺枠フレームに、前記集合鉢体の展開方向の両端列に位置する個別鉢体に挿入可能な爪片を櫛歯状に設けたものにおいて、前記一対の短辺枠フレーム間に、少なくとも２本の保護バーを架設したことを特徴とする集合鉢体用展開枠。
【考案の詳細な説明】
【技術分野】
【０００１】
本考案は、各種作物の育苗に用いられる集合鉢体を展開するための展開枠に関する。
【背景技術】
【０００２】
この種の集合鉢体は、六角紙筒または四角紙筒の個別鉢体を水溶性接着剤を介して重ね合せた構造となっており、扁平状態で保管され、使用時にはハニカム状または格子状に展開して育苗箱に納められるようになっている。図７および図８は、展開後の集合鉢体１０を示したもので、個別鉢体１１（ここでは、六角紙筒）からなる集合鉢体１０は、展開枠２０を用いて格子状に展開した状態を保持し、そのまま展開枠２０とともに育苗箱３０内に納められる。展開枠２０は、育苗箱３０の上縁部の輪郭に合わせて矩形状に形成されており、相対向する一対の短辺枠フレーム２２，２２に櫛歯状に設けた爪片２３，２３を、集合鉢体１０の展開方向の両端列に位置する個別鉢体１１に挿入させることで、集合鉢体１０を展開状態に保持できるようになっている。なお、展開した集合鉢体１０を育苗箱３０に納める際には、展開枠２０の一対の短辺枠フレーム２２に設けた係合片２４が育苗箱３０の上縁に嵌合することにより、育苗箱３０の前後（長手）方向の位置ずれを防止するようになっている。
【０００３】
そして、育苗箱３０に納められた集合鉢体１０には、その後、土詰めおよび播種等が行われるが、前記した土詰めにより集合鉢体１０は展開状態を維持するので、この段階で展開枠２０を抜取るか、あるいは播種、覆土を終えた段階で展開枠２０を抜取るようにしている。このように土詰めおよび播種が行われた集合鉢体１０は、一定の期間ビニールハウス内等で育苗されるが、育苗期間中における灌水で水溶性接着剤が流亡することで、個別鉢体１１が相互に分離可能となり、鉢苗として圃場に移植される。
【０００４】
ところで、前記した土詰め、播種および覆土を行う土詰播種ラインに対し、集合鉢体を展開して納めた育苗箱を順次供給する苗箱供給装置が特許第３３１２２９２号公報で開示されている。該苗箱供給装置は、育苗箱を段積みにして収納する苗箱収納枠と、前記苗箱収納枠より育苗箱を順次搬出する供給コンベア等から構成されている。ここで、前記苗箱収納枠に収納された育苗箱は、供給コンベアの運転によりエンドレス回転するチェーンに取り付けたヒッチが最下段の育苗箱後端に当接することによって搬送方向へ押し出され、土詰播種ラインに順次供給されるようになっている。この時、二段目より上の育苗箱は搬送方向への移動が抑制されており、最下段の育苗箱に嵌合した展開枠上を二段目の育苗箱底面が滑動して苗箱収納枠内に残る。そして、最下段の育苗箱が苗箱収納枠より搬出されると同時に、二段目より上の育苗箱が落下し、新たに最下段となった育苗箱が順次押し出されるようになっている。
【０００５】
しかしながら、上記した育苗箱の底面寸法は、展開枠の枠フレーム内寸法をわずかに上回るものであり、前記した苗箱収納枠内で育苗箱が位置ずれ（特に横方向）が起きると、育苗箱内の集合鉢体１０に、上段に位置する育苗箱の底面が当接してしまい、この状態で下段の育苗箱が搬出されると、集合鉢体を構成する個別鉢体が損傷したり、あるいは集合鉢体が後方に偏ることによって、後工程の土詰めおよび播種作業が正常に行えないという問題があった。図９は、育苗箱における集合鉢体の偏りを模式的に示したもので、集合鉢体１０を納めた育苗箱（図示略）が矢印Ａ方向を搬送される際に上段の育苗箱底面が集合鉢体１０に当接していると、集合鉢体１０が矢印Ｂ方向に引寄せられて偏りが生じる。
【特許文献１】実用新案登録第３０７５３０１号公報
【特許文献２】特許第３３１２２９２号公報
【考案の開示】
【考案が解決しようとする課題】
【０００６】
本考案は、上記した問題点を解決することを課題としてなされたものであり、苗箱収納枠内に段積みした育苗箱を最下段より搬出する際に、集合鉢体を構成する個別鉢体の損傷および偏りを防止する展開枠を供給することにある。
【課題を解決するための手段】
【０００７】
上記課題を解決するため、本考案は、個別鉢体を水溶性接着剤を介して集合させてなる集合鉢体を展開させる展開枠であって、相対向する一対の短辺枠フレームに、前記集合鉢体の展開方向の両端列に位置する個別鉢体に挿入可能な爪片を櫛歯状に設けたものにおいて、前記一対の短辺枠フレーム間に、少なくとも２本の保護バーを架設したことを特徴とする。このように構成した展開枠を用いて集合鉢体を納めた育苗箱は、前記保護バーを介して段積みされるので、苗箱収納枠より搬出される際に上段の育苗箱底面が下段の育苗箱内の集合鉢体に当接することがなく、集合鉢体（個別鉢体）の損傷および偏りを防止できるようになる。
【考案の効果】
【０００８】
本考案に係る集合鉢体用展開枠によれば、苗箱供給装置の苗箱収納枠から育苗箱を順次搬出する際に、育苗箱内の集合鉢体（個別鉢体）の損傷および偏りを防止することができ、土詰めおよび播種等からなる後行程の作業が安定するとともに、生産性が向上する。
【考案を実施するための最良の形態】
【０００９】
以下、本考案を実施するための最良の形態を添付図面に基づいて説明する。なお、本展開枠の適用対象である集合鉢体および育苗箱は、前記図７および図８に示したものと実質同じであるので、ここでは、同一部分に同一番号を付している。
【００１０】
図１および図２は、本考案に係る展開枠を示したものである。本実施の形態において、展開枠１は、育苗箱（図示略）の上縁部の輪郭に合わせて矩形状に形成されており、相対向する一対の短辺枠フレーム３，３の下面に櫛歯状の爪片４，４が設けられている。さらに、前記一対の短辺枠フレーム３，３間の上面に、少なくとも２本の保護バー６が架設されている。ここで、前記保護バー６には丸鋼を用いているが、角鋼、パイプなど棒状のものであれば特に限定されるものではない。
【００１１】
図３は、本考案に係る展開枠を用いた集合鉢体（ここでは、六角紙筒）の展開態様を模式的に示したものである。まず、集合鉢体１０の端列に位置する個別鉢体１１ａを、仰向けとした展開枠１の短辺枠フレーム３に設けた爪片４に引掛け、図示を省略する展開器具あるいは指先を用いて、展開方向端列の個別鉢体１１ｂを矢印Ｆの方向へ展開しながら他方の爪片４に引掛けることで、展開枠１に集合鉢体１０が展開状態で維持されるようになる。この状態で上方より育苗箱（図示略）を被せ、短辺枠フレーム３の外側に設けた係合片５と育苗箱上縁とを嵌合させて、展開枠１とともに育苗箱を反転させることで、図４に示すように、育苗箱内への集合鉢体１０の展開および収納が完了する。
【００１２】
図５は、四角紙筒の個別鉢体１１’からなる集合鉢体１０’を展開枠１’により展開し、育苗箱（図示略）に納めたものであり、短辺枠フレーム３’の爪片４’は、展開する集合鉢体１０’に応じて形成されている。なお、図４および図５に示すように、保護バー６（６’）は、六角紙筒、四角紙筒のいずれの場合も展開枠１（１’）の長辺枠フレーム２（２’）に平行であり、かつ展開する集合鉢体１０（１０’）の個別鉢体１１（１１’）相互の側壁上部に位置するように、短辺枠フレーム３，３（３’，３’）間に架設されている。
【００１３】
次に、このように構成した展開枠の作用を苗箱供給装置を用いて説明する。
【００１４】
図６は、土詰播種ラインの入口部分に設置される苗箱供給装置４０であり、育苗箱３０の搬送態様を模式的に示したものである。同図において、５１は、育苗箱３０を土詰播種ラインへ供給するための供給コンベアで、その矢印Ａの方向（搬送方向Ａ）前方の土詰播種ラインには、図示を省略する土詰機、播種機および覆土機が順に配置されている。供給コンベア５１により搬送方向Ａに搬送された育苗箱３０は、該供給コンベア５１に連接した搬送コンベア（図示略）に乗り移り、前記した土詰機、播種機および覆土機に順に送られる。
【００１５】
供給コンベア５１は、育苗箱３０を載置し搬送方向Ａへ摺動案内するガイド板５２と、前後のスプロケット５３、５４に掛け回されたチェーン５５と、このチェーン５５に所定のピッチで取り付けられた送りヒッチ５６とを備えており、前記したガイド板５２およびスプロケット５３，５４は、フロア上に固定したコンベヤフレーム（図示略）に支持されている。前後のスプロケット５３，５４のうちの一方は、モータ（図示略）により回転駆動されるようになっており、その回転に応じてチェーン５５がエンドレスに回転するようになっている。
【００１６】
一方、供給コンベヤ５１の入口側には、ガイド板５２上に段積み状態で育苗箱３０を収納する苗箱収納枠４１が配置されている。この苗箱収納枠４１は、左右のコンベアフレーム（図示略）に支持された左右一対の側板４２と、該側板４２の搬送方向Ａの前側の端部間に橋渡したストッパ板４３とからコ字状に形成されている。そして、前記ストッパ板４３の下端は、ガイド板５２の上面（搬送面）との間に、展開枠１を含む育苗箱３０の１個分の隙間４４を開ける高さに設定されている。
【００１７】
ここで、前記した要領で展開枠１を用いて集合鉢体１０を展開状態にして育苗箱３０に納め、この育苗箱３０を展開枠１０の保護バー６を介して段積みにして前記苗箱収納枠に納める。図６に示すように、最下段の育苗箱３０ａは供給コンベア５１のガイド板５２上に載置されており、供給コンベア５１の運転開始により、チェーン５５に取付けられた送りヒッチ５６の一つが最下段の育苗箱３０ａの後端に当接し、育苗箱３０ａを搬送方向Ａで押し出す（搬送）する。この時、二段目より上の育苗箱３０ｂ，３０ｃ…は、苗箱収納枠４１のストッパ板４３によって搬送方向Ａへの移動が抑制されており、最下段の育苗箱３０ａの搬送に応じ、二段目の育苗箱３０ｂが最下段の育苗箱３０ａに嵌合させた展開枠１ａの保護バー上を滑動して苗箱収納枠４１内に残るようになる。その後、最下段の育苗箱３０ａが苗箱収納枠４１から搬出されると、二段目より上の育苗箱３０ｂ，３０ｃ…ガイド板５２上に落下し、チェーン５５に取付けられた次の送りヒッチ５６が新たに最下段となった育苗箱３０ｂを押し出す。
【００１８】
このようにして、苗箱収納枠に収納した複数の育苗箱は、最下段より順次に分離搬送されるが、上段の育苗箱底面が下段の展開枠保護バー上を滑動するので、収納した育苗箱に位置ずれが起きても、その育苗箱底面が下段の育苗箱内に納められた集合鉢体に当接することがなく、集合鉢体（個別鉢体）の損傷および偏りを防止できる。また、土詰めおよび播種作業等において、保護バーが障害とならない位置、すなわち集合鉢体を構成する個別鉢体相互の側壁上部の位置に架設したので、従来の土詰播種ラインにおいても支障なく本考案の展開枠を使用することができる。
【図面の簡単な説明】
【００１９】
【図１】本考案を実施するための最良の形態としての展開枠の構造を示す平面図である。
【図２】本考案を実施するための最良の形態としての展開枠の構造を、図１のＰ−Ｐ矢視で示す断面図である。
【図３】集合鉢体（六角紙筒）の展開態様を模式的に示す平面図である。
【図４】集合鉢体（六角紙筒）を展開状態で保持した展開枠を示す平面図である。
【図５】集合鉢体（四角紙筒）を展開状態で保持した展開枠を示す平面図である。
【図６】苗箱供給装置における育苗箱の搬送態様を模式的に示す側面断面図である。
【図７】集合鉢体を展開状態で保持する従来の展開枠を示す平面図である。
【図８】展開枠と集合鉢体と育苗箱との関係を示す側面図である。
【図９】育苗箱における集合鉢体の偏りを模式的に示す平面図である。
【符号の説明】
【００２０】
１，１’  展開枠
２，２’  長辺枠フレーム
３，３’  短辺枠フレーム
４，４’  爪片
５，５’  係合片
６，６’  保護バー
１０，１０’  集合鉢体
１１，１１’  個別鉢体
３０  育苗箱
４０  苗箱供給装置
４１  苗箱収納枠
５１  搬送コンベア
【図１】
0003101664.tif 000003
【図２】
0003101664.tif 000004
【図３】
0003101664.tif 000005
【図４】
0003101664.tif 000006
【図５】
0003101664.tif 000007
【図６】
0003101664.tif 000008
【図７】
0003101664.tif 000009
【図８】
0003101664.tif 000010
【図９】
0003101664.tif 000011